(57)【要約】【課題】  壁パネルの裏面に侵入した水が床パンの外部に漏れないような構成を、簡易かつ確実に実現すること。【解決手段】  壁パネルを床パンの壁パネル載置面上に載置することで構成されるユニットバスにおいて、床パンの壁パネルが載置された箇所の全周縁に、前記壁パネルと間隔をおいて配設される立ち上がり部を配設して、前記壁パネル、前記壁パネル載置面及び前記立ち上がり部にて溝を構成し、前記溝全体に水を溜めるための止水構造を有することを特徴とする。【選択図】  図２
2005042462.tif 000002
【特許請求の範囲】
【請求項１】
壁パネルを床パンの壁パネル載置面上に載置することで構成されるユニットバスにおいて、
床パンの壁パネルが載置された箇所の全周縁に、前記壁パネルと間隔をおいて配設される立ち上がり部を配設して、前記壁パネル、前記壁パネル載置面及び前記立ち上がり部にて溝を構成し、
前記溝全体に水を溜めるための止水構造を有することを特徴とするユニットバス。
【請求項２】
壁パネルを床パンの壁パネル載置面上に載置することで構成されるユニットバスにおいて、
床パンの壁パネルが載置された箇所の全周縁に、前記壁パネルと間隔をおいて配設される立ち上がり部を配設して、前記壁パネル、前記壁パネル載置面及び前記立ち上がり部にて溝を構成し、
前記床パンと前記壁パネルとの間の止水構造中に、前記溝から浴室内へと排水するための排水口を有することを特徴とするユニットバス。
【請求項３】
壁パネルを床パンの壁パネル載置面上に載置することで構成されるユニットバスにおいて、
床パンの壁パネルが載置された箇所の全周縁に、前記壁パネルと間隔をおいて配設される立ち上がり部を配設して、前記壁パネル、前記壁パネル載置面及び前記立ち上がり部にて溝を構成し、
前記床パンと前記壁パネルとの間の止水構造中に、前記溝から浴室内へと排水するための排水口を含む排水ユニットを配設することを特徴とするユニットバス。
【発明の詳細な説明】
【技術分野】
【０００１】
本発明は、床パンと壁パネルとを有するユニットバスに係り、特に浴室床面より高い位置に床パンの壁パネル載置面を有するユニットバスの漏水対策に関するものである。
【背景技術】
【０００２】
従来、床パンの上に壁パネルを載置して組み立て、その間に防水構造を有するユニットバスがある（例えば、特許文献１参照）。
【０００３】
通常、床パンと壁パネルとの接合部或は壁パネル間にはシリコンなどのシール材にてシーリングを行うことで、ユニットバスの室内から外部への浸水を防止する。しかし、施工不良によりシーリングが不十分であったり、時間が経過してシール材が劣化して亀裂が生じると、シーリングの不十分な箇所において室内側から壁パネルの背後に水が浸入し、この水がユニットバス外部への漏水となる事態が起こる。該漏水が生ずると、床パンが設置される建築躯体を傷める等の問題が生じる。
【０００４】
このため、特許文献１に記載の発明においては、このような漏水を防止すべく、立ち上がりのある床パンの壁パネル載置面に、縦穴及び横穴から構成され室内側に通ずる排水口を空けて、壁パネルの背後へ浸入した水を、室内側に戻す機構を設けている。その他の従来技術としても、多くは壁パネルの裏に浸水した水を排水口を設けて排水する構造である。これは、すぐに強制的に排水する考えに基いている。
【０００５】
【特許文献１】特開２００３−６４７４８号公報
【発明の開示】
【発明が解決しようとする課題】
【０００６】
通常、シーリングが不十分な部分より、壁パネルの裏側に水が浸入した場合、その水を受け止めておくか、すぐに排出する構造がなければ、その水が床パンの外部に漏れて床パンが設置される建築躯体を傷めてしまう。
【０００７】
ここで、排出構造の例として特許文献１のように縦穴及び横穴のある複雑な形状の排水口を床パンに設けることが提案されているが、このように成型すると手間がかかる。例えば、床パンにＦＲＰ等を材料としてプレス成型をしようとする場合、横方向の穴を成型するための型を作ることはできない。すなわち、床パン上の壁パネル載置面に排水口としての縦穴及び横穴をプレス成型のみで作ることは困難となる。そうすると、上記背景技術のような排水口を設けるためには、プレス成型にて形成された床パンの壁パネル載置面に排水口を別途空ける必要があり、これらの手間は、コストアップにつながるという問題がある。
【０００８】
また、立ち上がりのある床パンにおいて、床パンの床面とドア枠の下端とを同じ高さに形成して出入口の段差を無くす構成とする場合、床パンの立ち上がりを切り欠いてドア枠を設置する必要がある。この場合、壁パネル裏側に水が浸入しても、ユニットバス外への漏れを防ぐために、床パンの立ち上がりと切欠の端部から外部へ漏水しないようにドア枠との間の止水性をいかに確保するかが問題となる。
【０００９】
本発明の目的は、壁パネルの裏側に浸入した水が床パンの外部に漏れないような構成を、簡易かつ確実に実現することである。
【課題を解決するための手段】
【００１０】
上記目的を達成するための本発明に係る第一の構成は、壁パネルを床パンの壁パネル載置面上に載置することで構成されるユニットバスにおいて、床パンの壁パネルが載置された箇所の全周縁に、前記壁パネルと間隔をおいて配設される立ち上がり部を配設して、前記壁パネル、前記壁パネル載置面及び前記立ち上がり部にて溝を構成し、前記溝全体に水を溜めるための止水構造を有することを特徴とする。
【００１１】
また、第二の構成として、前記床パンと前記壁パネルとの間の止水構造中に、前記溝から浴室内へと排水するための排水口を有することを特徴とする。
【００１２】
また、第三の構成として、前記床パンと前記壁パネルとの間の止水構造中に、前記溝から浴室内へと排水するための排水口を含む排水ユニットを配設することを特徴とする。
【発明の効果】
【００１３】
本発明は、上述の構成を有するので、第一の構成によれば、前記溝に確実に水を溜めることができる。壁パネルの裏側には常時浸水が発生することはないため、浸水される水量と前記溝に溜まった水の蒸発量を考慮して前記溝を設計すれば、溜まった水を特別に前記溝から排出する構造を設ける必要がない。このため、壁パネルの裏側に浸入した水が床パンの外部に漏れないような構成を、簡易かつ確実に実現することができる。
【００１４】
また第二の構成によれば、床パンに穴を空ける等の特別な加工を施すことをせずに済むため、簡易な構成となる。また、排出口を有することで、前記溝に溜まった水を速やかに浴室内に排出することができるため、より確実に壁パネルの裏側に浸入した水が床パンの外部に漏れないようにすることができる。また、速やかに排水することにより、壁パネルの下部の腐食などによる損傷を防ぐことができる。加えて、前記排水口は床パンと壁パネルとの間に配設され、ユニットバス内装の他の構成に影響を与えないため、意匠上も有利である。また、排水口からの排水の有無を確認することで、浸水の事実を把握することができる。
【００１５】
また第三の構成として、第二の構成の効果に加えて排水口をユニット構成とした。これにより、例えば、工場等で排水口の径や形状などを精密に管理して形成することにより、現場で排水口を形成するよりも、より再現性の高い径や形状の排水口とすることができる。また、ユニット構成とすることにより、例えば、排水口が詰まった場合の清掃をする時など、再現性の高い径や形状の排水口に容易に交換することができる。
【発明を実施するための最良の形態】
【００１６】
（床パン10の周縁に水を溜めるための溝Ｄを配設する構造の説明）
図を用いて、本発明のユニットバスの実施形態を説明する。
【００１７】
図１に示すように、本発明のユニットバスＡは、床パン10の上に浴槽１等の内装品を載置し、床パン10の周囲に複数の壁パネル20とドア枠30を設置することで構成される。本発明は、該床パン10の全周縁に水を溜める溝を設けて、壁パネルの裏側に浸入した水を溜めることにより、すぐに外部へ漏らさないようにしたことを特徴とする。また溜めた水（溜水）を排水する排水口等を設けて、壁裏に浸入した水を床パンの室内側に排水し外部へ漏らさないようにしたことを特徴とする。以下、ユニットバスの構造について詳細に説明する。
【００１８】
図２に示すように、ドア枠30を設置部分を除く床パン10の全周縁には、壁パネル20を載置する壁パネル載置面10ａが形成され、該壁パネル載置面10ａのさらに周縁には、立ち上がり部10ｂが壁パネル20と間隔をあけて配置される。ここで、壁パネル20を壁パネル載置面10ａに載置し、シリコンやゴム系発泡剤の止水パッキン11によって接合すると、壁パネル20の外周と立ち上がり部10ｂとの間に溝Ｄが形成される。
【００１９】
次にドア枠30と床パン10との接合部の構成について説明する。ドア枠の下端と床面との間は、浴室の安全性やバリアフリーの観点から、段差のない構造が好ましい。ここで、本発明のように、周縁に床面よりも高い位置に壁パネル載置面10ａ及び立ち上がり部10ｂがある床パン10にドア枠30を設置する場合には、立ち上がり部10ｂを切り欠いた形状にする必要がある。このため、床パン10とドア枠30との間から壁パネルの裏側に浸水し、床パン10外部に漏水しないための止水性が問題となる。
【００２０】
本発明においては、図３に示すように、床パン10とドア枠30との間に乾式止水材31を立ち上がり部上端まで挟み込んでいる。これによって、床パン10の周縁及び壁パネル20により形成される溝Ｄは、ドア枠30との間で確実に止水される。
【００２１】
尚、床パン10は通常、ＦＲＰ等を材料としてプレス成型やハンドレイアップ成型にて形成されるが、一つの型を使って床パン10全体を一度に形成する場合と、床パン10の一部を型取った複数の型を使って床パンの一部を形成し（この各々の部分を分割パンという）、これらをつなぎ合わせて床パン10を形成する場合がある。図４に分割パンの接合部の例を示す。
【００２２】
ここで図４に示すように、各々の分割パン10Ａ、10Ｂをつなぎ合わせる場合、特に立ち上がり部の接合部分の止水性が問題となるが、本発明においては、壁パネル載置面10ａ及び立ち上がり部10ｂをも含めた分割パン10Ａ、10Ｂの継ぎ目を乾式止水材12で埋めることにより、止水性を確保している。
【００２３】
このように、本発明においては、床パン10の壁パネル載置面10ａ、立ち上がり部10ｂ及び壁パネル20とで溝Ｄを形成し、溝Ｄとドア枠30との間を乾式止水材31を介して接合することで、壁パネル20の裏に浸水した水を確実に溜めて漏水させないことができる。
【００２４】
ドア枠30部分を除く床パン10の全周に、壁パネル20の裏に浸水した水を溜めるための溝Ｄが形成されるため、例えば、シール材の劣化等により、室内側から壁パネルの背後に水が浸入する事態が起こったとしても、浸入した水を溝Ｄの中に確実に溜めておくことができる。
【００２５】
このように、水を溝Ｄに確実に溜めておくことができるため、浸入した水が蒸発して溝Ｄからなくなるまで、浸入した水を床パンの外部に漏らさないようにすることができる。尚、溝Ｄの体積や表面積については、浸水の発生頻度に応じて予想される最大の浸水量や、溜水の溝Ｄからの最大の蒸発量を考慮して決定する。また、乾式止水材によって確実に止水をすることができるため、現場での施工不良の発生を防止することができる。
【００２６】
上記実施形態においては、ドア枠30部分を除く床パン10の全周に溝Ｄを形成し、壁パネルの背後に浸入した水を溜める構成としたが、蒸発に頼ることなく、例えば以下のような構成としてもよい。
【００２７】
（床パン10と壁パネル20との間に排水口40を配設する構成）
図５（ａ）に示すように、溝Ｄに溜まった水をより速く排出するために、床パン10の壁パネル載置面10ａと壁パネル20とに挟み込まれる止水パッキン11に排水口40を構成することができる。排水口40を有する構成とすると、壁パネル20の裏に浸水して溝Ｄに溜まった水を、浴槽１等を有するユニットバスの室内側や浴槽の内側に排水することができる。このため、溝Ｄに溜まった水が蒸発して自然になくなる場合と比べて、より速やかに溝Ｄ内の排水をすることができ、壁パネル20の腐食などによる損傷を防ぐことができる。また、止水パッキン11の間に排水口40を配設する構成としたため、床パン10に対して特別に排水口を空ける加工をする必要がなく、排水口40を容易に構成することができる。尚、排水口40の開口の大きさは、立ち上がり部10ｂの高さ及び溝Ｄ全体の容量を考慮して設計する。
【００２８】
排水口40を配設する位置は、浴槽１の裏など、見えにくい位置ではなく、ドア枠30の近くなど、見えやすい位置に設置することが好ましい。排水口40を見えやすい位置に設置することで、壁パネル20の裏への浸水があった場合に、容易に浸水の事実を把握することができる。尚、逆に浸水の点検の必要がない場合には、浴槽１の裏（図１に示す位置Ｐ）等に排水口を設置してもよい。浴槽１の裏等にはシャワーの水が直接かかる事はないため、排水口から逆流する心配はなく、排水口の径を大きくすることが可能となる。
【００２９】
また、排水口を排水の逆方向に対して抵抗のあるものにすれば、シャワーの水が排水口40に直接かかったり浴槽１から溢れた水が排水口40に入ったりするような一時に沢山の水がきても、立ち上がり部10ｂを乗り越えて水が溢れることをなくすことができる。
【００３０】
排水口40に対する一時的な浸水を防止するための抵抗になるものとして、図５（ｂ）に示すように、排水口40の浴室内側に弁41を設けることもできる。弁41はゴム系の弾性部材等で構成され、浴室内側へ傾斜させて配設することが好ましい。また、図５（ｃ）に示すように、排水口40内に弁42を設けることもできる。このように構成すると、溝Ｄの溜水はそのヘッドにより傾斜して配設される弁41、42の下側を押すことで開くが、浴室内から排水口40にかかる水は弁41、42の傾斜により再び浴室内側へ戻される。このため、溝Ｄから浴室内側への水は通しやすいが、浴室内から溝Ｄ側への水は遮断するように弁41、42構成し、排水口40から壁パネル20の裏側への水の浸入を防止することができる。
【００３１】
また、排水口40に対する一時的な浸水を防止するために、図５（ｄ）に示すように、排水口40内にスポンジのような透水性のある連続発泡体43を設けることもできる。このような構成とすることで、室内側からの一時的で多量の浸水を防ぐことができると同時に、壁パネル20の裏の溝Ｄに溜まった水は、時間をかけて徐々に浴室内側に排出させることができる。
【００３２】
他にこのような抵抗として、連続発泡体43の代わりにプラスチック等の材質で微細な穴を多数空けた部材等の障壁を構成してもよく、排水口の形状をクランク状に構成してもよい。
【００３３】
（ドア枠30に排水口を配設する構成）
図６（ａ）に示すように、溝Ｄに溜まった水をより速く排出するために、ドア枠30側面に、溝Ｄからドア側に連通する排水口50を構成することができる。このようにすると、溝Ｄに溜まった水は排水口50を通じてドア枠30のドア側に排出されるため、溝Ｄに溜まった水が自然に蒸発するのを待つよりも、速やかに排出することができる。
【００３４】
ここで、前述の排水口40は床パン10と壁パネル20との間のみに構成されるため、穴の径の上限は限られているが、排水口50の大きさや形状にはそのような制約がない。また、排水口50は、シャワーの水や浴槽から溢れる水が直接かかるおそれのあるが、排水口50はドア枠30の内側に通っているため、水が直接かかるおそれがなく、ユニットバス内部から溝Ｄへ逆流のおそれがない。このため、排水口50は、より自由度が高い形状とすることや、より大きな穴径とすることができ、溝Ｄに溜まった水を排水口40のみを配設した時よりも速やかに排出できる。
【００３５】
また、ドア枠30の排水口51の構成を、図６（ｂ）に示すように、高い位置にある溝Ｄから低い位置にあるドア枠30下部に通じる構成としてもよい。このように、高低差のある排水口51とすることで、より溝Ｄの水を排出しやすく、かつ溝Ｄへの水の浸入を防止することができる。更に、ドア枠30の排水口50に外部から水が入り込まないように、図６（ｃ）に示すようなゴム等の弾性部材から構成される弁52を付けてもよい。
【００３６】
尚、ドア枠30に排水口を配設する構成においても、図６（ａ）〜（ｃ）に示すように、溝Ｄとドア枠30との間に乾式止水材31を配設することは必要である。乾式止水材31を配設することで、清掃時の放水等による水が排水口50、51から浸入しても、浸入した水が床パン10の外部に漏れないような構成となるからである。
【００３７】
（床パン10と壁パネル20との間の排水口をユニット化する構成）
また、上記実施形態において、床パン10と壁パネル20との間の止水パッキン11内に排水口40を有する構造を説明したが、図７（ａ）に示すように、止水パッキンと同じ材質の基体に排水口60ａを有する排水ユニット60を構成してもよい。ここで、排水ユニット60の側面には奥に行くに従って幅が狭くなるような傾斜をつけることで、排水ユニット60が止水パッキン11内に確実に嵌合する構成としている。このように、ユニット構成とすることで、排水口60ａの大きさや形状等を工場で正確に形成することができ、現場で止水パッキン11に排水口を形成する場合に生じやすい施工のばらつきを防止することができる。
【００３８】
尚、排水ユニットの構成は排水ユニット60以外にも、図７（ｂ）に示すように、排水口61ａに弾性部材61ｂを付帯した排水ユニット61としてもよいし、図７（ｃ）に示すように、排水口62ａにスポンジのような透水性のある連続発泡体62ｂを設けた排水ユニット62としてもよい。また、排水ユニット60の側面に形成した傾斜構造の代わりに、図７（ｂ）に示す排水ユニット61のように、側面を段をつけた形状に構成して止水パッキン11内に嵌合する嵌合構造を設けてもよい。
【産業上の利用可能性】
【００３９】
本発明は、止水構造を有するユニットバスに活用することができる。
【図面の簡単な説明】
【００４０】
【図１】ユニットバスＡの組立て時の説明図である。
【図２】床パン10と壁パネル20との間に形成される溝の斜視図である。
【図３】床パン10とドア枠30との間の止水構造の説明図である。
【図４】分割パンの接合部の斜視図である。
【図５】溝Ｄから浴室内へ浸入した水を排出する排水口40の説明図である。
【図６】溝Ｄから浴室内へ浸入した水を排出する排水口50の説明図である。
【図７】排水口60ａを有する排水ユニットの説明図である。
【符号の説明】
【００４１】
Ａ …ユニットバス、Ｄ …溝、Ｐ …排水口を設置する位置
１ …浴槽、
10 …床パン、10ａ …壁パネル載置面、10ｂ …立ち上がり部、
10Ａ …分割パン、10Ｂ …分割パン、
11 …止水パッキン、12 …乾式止水材、
20 …壁パネル、
30 …ドア枠、31 …乾式止水材、
40 …排水口、41 …弁、42 …弁、43 …連続発泡体、
50 …排水口、51 …排水口、52 …弁、
60 …排水ユニット、60ａ …排水口
61 …排水ユニット、61ａ …排水口、61ｂ …弾性部材、
62 …排水ユニット、62ａ …排水口、62ｂ …連続発泡体
【図１】
2005042462.tif 000003
【図２】
2005042462.tif 000004
【図３】
2005042462.tif 000005
【図４】
2005042462.tif 000006
【図５】
2005042462.tif 000007
【図６】
2005042462.tif 000008
【図７】
2005042462.tif 000009